(57)【要約】【課題】本発明は、洗浄後に、洗浄液が吸気口から滴下するのを防ぐ構造を提供することを目的とする。【解決手段】流体が取り込まれる内部空間と、内部空間から流体を排気する排気口とを有するハウジングと、ハウジングの流体の取り込み側に配置されている整流板１３と、ハウジングの内部空間の洗浄時に洗浄液を供給する洗浄液供給部とを備え、ハウジングに流体を取り込む吸気口２３が、ハウジングと整流板１３との間の隙間であるか、あるいは、整流板１３に設けられた開口であり、断面視において、ハウジングの内部空間のうち吸気口２３の上部に位置する上部内面１１ｒは、吸気口２３に向かう下がり傾斜を有し、当該下がり傾斜の下端部が吸気口２３から外れて位置している。【選択図】図４
2019100559.tif 000002
【特許請求の範囲】
【請求項１】
流体が取り込まれる内部空間と、前記内部空間から流体を排気する排気口とを有するハウジングと、
前記ハウジングの前記流体の取り込み側に配置されている整流板と、
前記ハウジングの内部空間の洗浄時に洗浄液を供給する洗浄液供給部とを備え、
前記ハウジングに流体を取り込む吸気口が、前記ハウジングと前記整流板との間の隙間であるか、あるいは、前記整流板に設けられた開口であり、
断面視において、前記ハウジングの内部空間のうち前記吸気口の上部に位置する上部内面は、前記吸気口に向かう下がり傾斜を有し、当該下がり傾斜の下端部が前記吸気口から外れて位置している、レンジフード。
【請求項２】
前記断面視において、前記ハウジングの前記吸気口の上部に位置する上部内面は、
前記下がり傾斜を有しつつ、前記吸気口に対して上方に膨らむ円弧状面と、
前記下がり傾斜を有するように、前記吸気口に対して一端部から他端部に向かって一方向に下る一方向傾斜面と、
前記下がり傾斜を有するように、前記吸気口に対して一端部と他端部との間から前記一端部及び前記他端部に向かって二方向に下る二方向傾斜面と、
の少なくとも一つの面から構成されている、請求項１に記載のレンジフード。
【請求項３】
前記断面視において、前記ハウジングの前記吸気口の上部に位置する上部内面の少なくとも一部は、親水コーティング及び疎水コーティングの少なくともいずれかが施されている、請求項１又は２に記載のレンジフード。
【発明の詳細な説明】
【技術分野】
【０００１】
本発明は、レンジフードに関する。
【背景技術】
【０００２】
特許文献１及び特許文献２には、煙、湯気及び臭気等の調理に伴って排出される排気を吸い込んで外部に排気するためのレンジフードが開示されている。
特許文献１のレンジフードは、空気取入口を有する最下部の箱状体からなるフードと、最上部の送風機と、フードと送風機との間を連通する筒体と、送風機に接続されたダクトとから構成されている。また、フードと筒体との境界には排気中の油分等を除去するためにフィルタが設けられている。送風機を駆動すると、空気が排出されてフード内は負圧となり、空気取入口のシャッタが上方に揺動して空気取入口が開放される。そして、空気取入口を介してフード内に排気が吸い込まれ、吸い込まれた排気は、フィルタを通った後、筒体を経てダクトから排出される。
【０００３】
また、フード内には、フィルタの下部に対応して洗浄液噴出部が設けられている。洗浄液噴出部により自動洗浄する場合には、送風機が停止される。これにより、フード内が正圧となり、シャッタが自重により下方に揺動して空気取入口が閉鎖される。そして、洗浄液噴出部からフード及びフィルタに洗浄液が噴射されてフィルタ及びフードの内面が自動で洗浄される。このとき、前述の通り空気取入口が閉鎖されているため、洗浄液は空気取入口から漏出しない。
【０００４】
特許文献２のレンジフードは、フード本体と、フード本体内に設けられた送風機と、ダクトとから構成されている。また、送風機とダクトとの境界には排気中の油分等を除去するためにフィルタが設けられている。排気を外部に排出する場合には、吸気シャッタ用モータを駆動して吸気シャッタを開放位置とする。そして、送風機を駆動すると、吸気口からフード内に排気が吸い込まれ、吸い込まれた排気は、フィルタを通った後、ダクト配管から排出される。
【０００５】
また、フード内には、洗浄液が貯められた洗浄液タンクが設けられている。フード及びフィルタ等を自動洗浄する場合には、吸気シャッタ用モータを駆動して吸気シャッタを閉塞位置とする。そして、清掃信号が入力されると、送風機のファンが低速で駆動され、洗浄液タンク内の洗浄液が送水管からフィルタの上部に供給される。これにより、洗浄液タンク内の洗浄液は、フィルタの上部を介して駆動しているファンに供給され、フードの内面に吹き付けられる。このとき、前述の通り吸気シャッタにより吸気口が閉塞されているため、洗浄液は吸気口から漏出しない。
【先行技術文献】
【特許文献】
【０００６】
【特許文献１】特許第３９０６４５３号公報
【特許文献２】特許第４３１０５５８号公報
【発明の概要】
【発明が解決しようとする課題】
【０００７】
しかし、特許文献１及び特許文献２のいずれも、洗浄の際に吸気口を閉鎖することしか開示していない。つまり、特許文献１及び特許文献２は、洗浄の際にレンジフードの内壁に付着した洗浄液が吸気口から滴下してくる場合の対策については何ら開示していない。
【０００８】
そこで、本発明は、洗浄後に、洗浄液が吸気口から滴下するのを防ぐ構造を提供することを目的とする。
【課題を解決するための手段】
【０００９】
本発明に係るレンジフードの特徴構成は、
流体が取り込まれる内部空間と、前記内部空間から流体を排気する排気口とを有するハウジングと、
前記ハウジングの前記流体の取り込み側に配置されている整流板と、
前記ハウジングの内部空間の洗浄時に洗浄液を供給する洗浄液供給部とを備え、
前記ハウジングに流体を取り込む吸気口が、前記ハウジングと前記整流板との間の隙間であるか、あるいは、前記整流板に設けられた開口であり、
断面視において、前記ハウジングの内部空間のうち前記吸気口の上部に位置する上部内面は、前記吸気口に向かう下がり傾斜を有し、当該下がり傾斜の下端部が前記吸気口から外れて位置している点にある。
【００１０】
本特徴構成によれば、断面視において、吸気口の上部に位置する上部内面は、吸気口に向かう下がり傾斜を有し、当該下がり傾斜の下端部が吸気口から外れて吸気口の外周側に位置している。よって、上部内面の下がり傾斜に沿って流れた洗浄液は、吸気口から外れた位置に落下するか、吸気口から外れた位置で対向する上部内面を伝わって流れる。そのため、洗浄後に、洗浄液が吸気口から滴下するのを防ぐことができる。
【００１１】
本発明に係るレンジフードの更なる特徴構成は、
前記断面視において、前記ハウジングの前記吸気口の上部に位置する上部内面は、
前記下がり傾斜を有しつつ、前記吸気口に対して上方に膨らむ円弧状面と、
前記下がり傾斜を有するように、前記吸気口に対して一端部から他端部に向かって一方向に下る一方向傾斜面と、
前記下がり傾斜を有するように、前記吸気口に対して一端部と他端部との間から前記一端部及び前記他端部に向かって二方向に下る二方向傾斜面と、
の少なくとも一つの面から構成されている点にある。
【００１２】
本特徴構成によれば、吸気口の上部に位置する上部内面を、円弧状面、一方向傾斜面及び二方向傾斜面の少なくとも一つの面から形成し、これらの面の下がり傾斜の下端部が吸気口から外れて吸気口の外周側に位置している。このような構成により、上部内面の傾斜に沿って流れた洗浄液は、吸気口から外れた位置に落下するか、吸気口から外れた位置で対向する上部内面をさらに伝わる。そのため、洗浄後に、洗浄液が開口した吸気口から滴下するのを防ぐことができる。
【００１３】
本発明に係るレンジフードの更なる特徴構成は、
前記断面視において、前記ハウジングの前記吸気口の上部に位置する上部内面の少なくとも一部は、親水コーティング及び疎水コーティングの少なくともいずれかが施されている点にある。
【００１４】
本特徴構成において、吸気口の上部に位置する上部内面の少なくとも一部に親水コーティングを施すことで、上部内面に付着した親水性の洗浄液が上部内面から落下しにくくなる。また、上部内面の少なくとも一部に疎水コーティングを施すことで、上部内面に付着した親水性の洗浄液が上部内面の傾斜に沿って流れ、吸気口の外側に落下し易くなる。
【図面の簡単な説明】
【００１５】
【図１】斜め上方から見たレンジフードの全体斜視図である。
【図２】レンジフードの底面図である。
【図３】図２のレンジフードのＩＩＩ−ＩＩＩ断面図である。
【図４】上部内面の構成図である。
【図５】上部内面の構成図である。
【図６】上部内面の構成図である。
【図７】上部内面の構成図である。
【発明を実施するための形態】
【００１６】
〔実施形態〕
本発明に係るレンジフードの実施形態について、図面を参照して説明する。まずはレンジフードの全体構成について図１〜図３を用いて説明する。
（１）レンジフードの全体構成
レンジフード１は、調理器（図示せず）の上方に設けられている。図１及び図３に示すように、レンジフード１は、ハウジング２と、整流板１３と、洗浄液供給部６５とを備えている。また、レンジフード１は、ハウジング２に排気を取り込む吸気口２３を開閉するシャッタ３１と、シャッタ３１を駆動する駆動部（図示せず）とを備えている。さらに、レンジフード１は、レンジフード１での換気、レンジフード１の洗浄等の各種を動作させるための複数のボタン等の指示受付部（図示せず）を備えている。そして、レンジフード１は、指示受付部がユーザ等から指示を受け付けると、指示に応じた処理を行う制御部２０を備えている。
【００１７】
ハウジング２は、内部に空間Ｓ２（図３）を有し、下面が開口した直方体状の送風機庫１７と、送風機庫１７の下方に連続して形成され、送風機庫１７内部の空間Ｓ２と連通する空間Ｓ１（図３）を内部に有するフード部１１とを有する。フード部１１は、調理器（図示せず）を覆うように、送風機庫１７よりも前側、左右両側が拡張されて形成されており、フード部１１の後面と、送風機庫１７の後面とは概ね面一である。送風機庫１７の空間Ｓ２には送風機１５が設けられている。
【００１８】
ハウジング２の下部には整流板１３が配置されており、ハウジング２と整流板１３とにより内部空間Ｓが形成されている。より具体的には、フード部１１と整流板１３とにより形成される、フード部１１の内部の空間Ｓ１と、送風機庫１７の内部の空間Ｓ２とが一体となって、ハウジング２の内部空間Ｓが形成されている。
送風機１５が駆動されると、内部空間Ｓには整流板１３の後述の吸気口２３を介して、調理で発生した煙、湯気及び臭気等の排気が取り込まれる。内部空間Ｓに取り込まれた排気は、ハウジング２の送風機庫１７の上部に設けられた排気口１９から排出される。
【００１９】
また、レンジフード１は、レンジフード１の内部空間を洗浄するために、後述の洗浄液噴射部Ｎ（フード洗浄部４０、庫内洗浄部７０、送風機洗浄部４７）を備えている。洗浄液噴射部Ｎは、後述の洗浄液供給部６５から洗浄液の供給を受けて、レンジフード１の内部空間に洗浄液を噴射し、洗浄する。
【００２０】
以下では、図１等に示す方向、つまり上、下、前、後、右、左にしたがって説明を行う。具体的には、整流板１３側を下とし、排気口１９側を上として上下方向を規定している。また、上下方向に対して直交する前後方向において、フード部１１の突出方向が前であり、その反対が後である。そして、これら上下方向及び前後方向に直交する方向が左右方向である。但し、この向きによって、本発明が限定されるものではない。
【００２１】
フード部１１は、パネル部１１ａと、パネル部１１ａに連続して形成された外周部１１ｂとを有する。パネル部１１ａは、整流板１３が下方に配置された状態で、整流板１３と対向する板状部材である。外周部１１ｂは、パネル部１１ａの前側、左側及び右側において、パネル部１１ａの外側に向かって連続して、かつ下方に突出して形成されている。
【００２２】
そして、パネル部１１ａが整流板１３と対向しており、外周部１１ｂが整流板１３の前側、左側及び右側を取り囲んでいる。これにより、フード部１１と整流板１３とにより囲まれることで、図３等に示す空間Ｓ１が形成される。この空間Ｓ１に整流板１３の吸気口２３から取り込まれた排気が導入される。
【００２３】
空間Ｓ１には、整流板１３の上面に設けられたフード上方向噴射部４１と、フード部１１のパネル部１１ａの下面に設けられたフード下方向噴射部４３とを含むフード洗浄部４０が備えられている。フード上方向噴射部４１は、弁５１を介して洗浄液供給部６５に接続されており、フード下方向噴射部４３は、弁５３を介して洗浄液供給部６５に接続されている。そして、フード上方向噴射部４１は、制御部２０により弁５１が操作されることで、フード部１１のパネル部１１ａに対して、下部から上部に向かって洗浄液を噴射する。フード下方向噴射部４３は、制御部２０により弁５３が操作されることで、整流板１３に対して上部から下部に向かって洗浄液を噴射する。
なお、フード洗浄部４０は、フード上方向噴射部４１及びフード下方向噴射部４３を含まず、単一の多頭ノズルから構成され、この多頭ノズルから洗浄液を噴射して空間Ｓ１を洗浄してもよい。
【００２４】
送風機庫１７は、フード部１１の上部に設けられた中空の直方体状の筐体である。送風機庫１７は、上壁１７ａと、上壁１７ａの４辺から下方に延びる側壁１７ｂと、上壁１７ａと対向する底壁１７ｃとを有している。側壁１７ｂには、図３等に示すように、前側の側壁１７ｂ１及び後側の側壁１７ｂ２が含まれる。また、側壁１７ｂには、図示しない左側の側壁及び右側の側壁が含まれる。後側の側壁１７ｂ２には送風機１５が取り付けられており、送風機１５の下部に対応して底壁１７ｃが設けられている。底壁１７ｃには、左右方向の中央部かつ前後方向の後部に、洗浄液及び汚れ等を排水するための第２排水口２７が設けられている。第２排水口２７からは、排水管２８が延びている。底壁１７ｃは、側壁１７ｂから第２排水口２７に向かうにつれて下方に向かっていると、排水が第２排水口２７に向かい易く好ましい。例えば、底壁１７ｃは、前後方向において第２排水口２７に向かうにつれて下方に向かう構成と、左右方向において第２排水口２７に向かうにつれて下方に向かう構成との少なくともいずれかの構成が採用されて形成されていると好ましい。
【００２５】
また、送風機庫１７は、底壁１７ｃの前端から上方に向かって延びる隔壁２１を有する。隔壁２１を境界にして、送風機庫１７内の空間Ｓ２は、図３に示すように、隔壁２１の前側の空間Ｓ２ａと、隔壁２１の後側の空間Ｓ２ｂとを含む。
【００２６】
空間Ｓ２ａには、空間Ｓ２ａの中央部に設けられた庫内洗浄部７０が備えられている。庫内洗浄部７０は、送風機庫１７の空間Ｓ２のうち隔壁２１の前側の空間Ｓ２ａに対して洗浄液を噴射する洗浄部であり、庫内上方向噴射部７１と庫内下方向噴射部７３とを有する。庫内上方向噴射部７１は弁５７を介して洗浄液供給部６５に接続されており、庫内下方向噴射部７３は弁５９を介して洗浄液供給部６５に接続されている。そして、庫内上方向噴射部７１は、制御部２０により弁５７が操作されることで、空間Ｓ２ａの上壁１７ａに対して上下方向の中央部から上部に向かって洗浄液を噴射する。同様に、庫内下方向噴射部７３は、制御部２０により弁５９が操作されることで、空間Ｓ２ａの下部に位置する整流板１３に対して上下方向の中央部から下部に向かって洗浄液を噴射する。
空間Ｓ２ａに噴射された洗浄液は、後述の整流板１３に設けられた第１排水口２５から排水される。
【００２７】
なお、庫内洗浄部７０は、庫内上方向噴射部７１及び庫内下方向噴射部７３を含まず、単一の多頭ノズルから構成され、この多頭ノズルから洗浄液を噴射して空間Ｓ２ａを洗浄してもよい。
【００２８】
空間Ｓ２ｂには、送風機洗浄部４７が設けられている。送風機洗浄部４７は、弁６１を介して洗浄液供給部６５に接続されており、制御部２０の制御により送風機１５に対して洗浄液を噴射する。空間Ｓ２ｂに噴射された洗浄液は、第２排水口２７から排水される。
【００２９】
整流板１３は、レンジフード１の最下部に、フード部１１のパネル部１１ａと対向するように取り付けられている。整流板１３は、板状の底壁１３ａと、底壁１３ａの４辺から上方に延出した側壁１３ｂとを有している。整流板１３の底壁１３ａには、排気を取り込むための長方形状の吸気口２３が設けられている。吸気口２３は、前側、左側及び右側の３か所の側壁１３ｂに沿って設けられており、フード部１１の外周部１１ｂに隣接して位置している。吸気口２３は、例えば、吸気口２３に対応する底壁１３ａを上方に折り曲げて吸気口壁１３ｃを形成することで形成されている。
整流板１３の一部に吸気口２３を設けることで開口面積が絞られ、調理で発生した油分を含んだ排気の吸込速度が高まる。
この吸気口２３は、レンジフード１の内部に洗浄液が噴射される場合には、シャッタ３１により閉じられる。シャッタ３１は回動軸３３に取り付けられており、制御部２０の制御により回動軸３３が回転することによりシャッタ３１が吸気口２３を開状態又は閉状態にする。
【００３０】
整流板１３には第１排水口２５が設けられており、レンジフード１の空間Ｓ１及び空間Ｓ２ａに噴射された洗浄液が第１排水口２５を介して排水される。第１排水口２５は、整流板１３の左右方向の中央部かつ前後方向の後部に設けられている。第１排水口２５からは排水管２６が延びている。整流板１３の底壁１３ａは、側壁１３ｂから第１排水口２５に向かうにつれて下方に向かっていると、排水が第１排水口２５に向かい易く好ましい。例えば、底壁１３ａは、前後方向において第１排水口２５に向かうにつれて下方に向かう構成と、左右方向において第１排水口２５に向かうにつれて下方に向かう構成との少なくともいずれかの構成が採用されて形成されていると好ましい。
【００３１】
（２）吸気口の上部に位置する上部内面の構成
次に、吸気口２３の上部に位置する上部内面１１ｒの構成について、図４〜図７を用いて説明する。
図４〜図７の断面視（縦断面視）に示すように、上部内面１１ｒは、吸気口２３の対向する第１開口端１３ｃ１及び第２開口端１３ｃ２の少なくとも一方に向かって下がるように傾斜（下がり傾斜）しており、傾斜の第１端部１１ｒａ及び第２端部１１ｒｂは、吸気口２３の第１開口端１３ｃ１及び第２開口端１３ｃ２よりも吸気口２３から外側に外れて吸気口２３の外周側に位置している。
【００３２】
このような構成により、整流板１３、フード部１１及び送風機庫１７の洗浄後に、吸気口２３の上部の上部内面１１ｒに付着している洗浄液は、その自重により上部内面１１ｒの傾斜が下がる方向に沿って流れる。そして、図４〜図７の断面視において、上部内面１１ｒの傾斜の両端１１ｒａ、１１ｒｂは、吸気口２３から外れて吸気口２３の外周側に位置しているため、上部内面１１ｒの傾斜に沿って流れた洗浄液は、吸気口２３から外れた位置に落下するか、吸気口２３から外れた位置で対向する上部内面１１ｒを伝わって流れる。そのため、洗浄後に、洗浄液が吸気口２３から滴下するのを防ぐことができる。
【００３３】
以下に、図４〜図７に示す上部内面１１ｒの各構成について説明する。
図４の断面視に示すように、フード部１１のパネル部１１ａにおいて、吸気口２３の上部に位置する上部内面１１ｒを円弧状面として構成する。図４の上部内面１１ｒは、その中央部１１ｒｃが吸気口２３に対して最も離れるように上方に膨らんでおり、中央部１１ｒｃから外周部１１ｂ側の第１端部１１ｒａ及び中央部１１ｒｃから反対側の第２端部１１ｒｂに向かうほど、整流板１３側に近づくような円弧状に傾斜している。さらに、断面視において、上部内面１１ｒの幅Ｗ２は吸気口２３の幅Ｗ１よりも大きい。つまり、上部内面１１ｒの第１端部１１ｒａは、吸気口２３の第１開口端１３ｃ１よりも吸気口２３から外れて吸気口２３の外周側に位置している。同様に、上部内面１１ｒの第２端部１１ｒｂは、吸気口２３の第２開口端１３ｃ２よりも吸気口２３から外れて吸気口２３の外周側に位置している。
上部内面１１ｒの吸気口２３に対して最も離れる部分は、第１端部１１ｒａと第２端部１１ｒｂとの間であれば特に限定されない。上部内面１１ｒの吸気口２３に対して最も離れる部分が第１端部１１ｒａと第２端部１１ｒｂとの中間である場合には、洗浄液が概ね均等に第１端部１１ｒａと第２端部１１ｒｂに向かって流れやすくなる。
【００３４】
円弧状面からなる上部内面１１ｒに付着した洗浄液は中央部１１ｒｃから両端（第１端部１１ｒａ及び第２端部１１ｒｂ）に向かって流れる。そして、両端１１ｒａ及び１１ｒｂに向かって流れた洗浄液は、吸気口２３から外れた位置で円弧状面からなる上部内面１１ｒの両端１１ｒａ及び１１ｒｂから落下するか、吸気口２３から外れた位置で上部内面１１ｒをさらに伝わる。よって、洗浄後に、洗浄液が開口した吸気口２３から滴下するのを防ぐことができる。
【００３５】
図５の断面視に示すように、フード部１１のパネル部１１ａにおいて、吸気口２３の上部に位置する上部内面１１ｒを直線状の第１傾斜面（一方向傾斜面）として構成する。図５の上部内面１１ｒは、外周部１１ｂ側の第１端部１１ｒａから第２端部１１ｒｂに向かうほど、吸気口２３側、つまり整流板１３側に近づくように傾斜している。言い換えれば、第１傾斜面は、第１開口端１３ｃ１から第２開口端１３ｃ２に向かうほど、吸気口２３側、つまり整流板１３側に近づくように傾斜している。さらに、断面視において、上部内面１１ｒの幅Ｗ２は吸気口２３の幅Ｗ１よりも大きい。
【００３６】
第１傾斜面からなる上部内面１１ｒに付着した洗浄液は第１端部１１ｒａから第２端部１１ｒｂに向かって流れる。そして、第２端部１１ｒｂに向かって流れた洗浄液は、吸気口２３から外れた位置で第１傾斜面からなる上部内面１１ｒの第２端部１１ｒｂから落下するか、吸気口２３から外れた位置で上部内面１１ｒをさらに伝わる。よって、洗浄後に、洗浄液が開口した吸気口２３から滴下するのを防ぐことができる。
【００３７】
図６の断面視に示すように、フード部１１のパネル部１１ａにおいて、吸気口２３の上部に位置する上部内面１１ｒを直線状の第２傾斜面（一方向傾斜面）として構成する。図６の上部内面１１ｒは、第２端部１１ｒｂから第１端部１１ｒａに向かうほど、吸気口２３側、つまり整流板１３側に近づくように傾斜している。さらに、断面視において、上部内面１１ｒの幅Ｗ２は吸気口２３の幅Ｗ１よりも大きい。
【００３８】
第２傾斜面からなる上部内面１１ｒに付着した洗浄液は第２端部１１ｒｂから第１端部１１ｒａに向かって流れる。そして、第１端部１１ｒａに向かって流れた洗浄液は、吸気口２３から外れた位置で第２傾斜面からなる上部内面１１ｒの第１端部１１ｒａから落下する。よって、洗浄後に、洗浄液が開口した吸気口２３から滴下するのを防ぐことができる。
【００３９】
図７の断面視に示すように、フード部１１のパネル部１１ａにおいて、吸気口２３の上部に位置する上部内面１１ｒを、傾斜面１１ｒ１及び傾斜面１１ｒ２からなる三角傾斜面（二方向傾斜面）として構成する。図７の上部内面１１ｒは、その中央部１１ｒｃが吸気口２３に対して最も離れるように突出しており、中央部１１ｒｃから第１端部１１ｒａ及び第２端部１１ｒｂに向かうほど、整流板１３側に直線状に傾斜している。さらに、断面視において、上部内面１１ｒの幅Ｗ２は吸気口２３の幅Ｗ１よりも大きい。
中央部１１ｒｃは、第１端部１１ｒａと第２端部１１ｒｂとの間であれば特に限定されない。中央部１１ｒｃが第１端部１１ｒａと第２端部１１ｒｂとの中間である場合には、洗浄液が概ね均等に第１端部１１ｒａと第２端部１１ｒｂに向かって流れやすくなる。
【００４０】
三角傾斜面からなる上部内面１１ｒに付着した洗浄液は中央部１１ｒｃから両端（第１端部１１ｒａ及び第２端部１１ｒｂ）に向かって流れる。そして、両端１１ｒａ及び１１ｒｂに向かって流れた洗浄液は、吸気口２３から外れた位置で三角傾斜面からなる上部内面１１ｒの両端１１ｒａ及び１１ｒｂから落下するか、吸気口２３から外れた位置で上部内面１１ｒをさらに伝わる。よって、洗浄後に、洗浄液が開口した吸気口２３から滴下するのを防ぐことができる。
【００４１】
上記のような上部内面１１ｒの少なくとも一部は、親水コーティング又は疎水コーティングの少なくともいずれかを施すことができる。上部内面１１ｒに親水コーティングを施すことで、上部内面１１ｒに付着した親水性の洗浄液が上部内面１１ｒから落下しにくくなる。また、上部内面１１ｒに疎水コーティングを施すことで、上部内面１１ｒに付着した親水性の洗浄液が上部内面１１ｒの傾斜に沿って流れ、吸気口２３の外側に落下し易くなる。
【００４２】
［別実施形態］
（１）上記実施形態では、吸気口２３に対応するフード部１１の上部内面を図４〜図７に示す円弧状面等に構成している。しかし、吸気口２３からの洗浄液の滴下を抑制できればよく、吸気口２３に対応するフード部１１の上部内面の構成はこれに限定されない。例えば、吸気口２３に対応するフード部１１の上部内面のみならず、パネル部１１ａ全体が左右方向中央部に向かって整流板１３側に近づくように傾斜していてもよい。
（２）上記実施形態では、吸気口２３に対応するフード部１１の上部内面を図４〜図７に示す円弧状面等にすることにより、吸気口２３からの洗浄液の滴下を抑制している。その他、吸気口２３に対応する送風機庫１７の上部内面を図４〜図７に示す円弧状等にすることもできる。
【００４３】
（３）上記実施形態の図４〜図７に示す上部内面の形状を、各吸気口２３の上部内面それぞれで異ならせることができる。例えば、一の吸気口２３に対応する上部内面は図４に示すように円弧状面に構成し、他の吸気口２３に対応する上部内面は図５に示すように一方に傾斜する傾斜面に構成してもよい。
【００４４】
（４）上記実施形態では、長方形状の吸気口２３が整流板１３に３か所設けられている。しかし、吸気口２３の開口の位置及び形状はこれに限定されない。例えば、吸気口２３は、整流板１３の前側、後側、左側及び右側の４か所に長方形状に形成されていてもよい。また、例えば、吸気口２３の形状は、正方形状及び楕円形状であってもよい。
また、吸気口２３は、整流板１３に設けられず、整流板１３の外周と、整流板１３よりも一回り大きいフード部１１の内周との間により形成される開口（吸気口）によって形成されていてもよい。排気は、整流板１３外周とフード部１１の内周との間の開口（吸気口）を介して、整流板１３とフード部１１とにより囲まれる空間Ｓ１に取り込まれ、送風機庫１７に導入される。この場合、この開口（吸気口）の上部に位置する上部内面が、上記実施形態と同様に構成される。
【００４５】
（５）上記実施形態では、吸気口２３の短手方向の断面において、吸気口２３に対向する上部内面１１ｒが、吸気口２３に対して少なくとも一方に向かって下がるように傾斜（下がり傾斜）して形成されている。しかし、吸気口２３に対向する上部内面１１ｒが、吸気口２３の長手方向の断面において、吸気口２３に対して少なくとも一方に向かって下がるように傾斜（下がり傾斜）して形成されていてもよい。
【００４６】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００４７】
１        ：レンジフード
２        ：ハウジング
１１      ：フード部
１１ａ    ：パネル部
１１ｒ    ：上部内面
１１ｒ１  ：傾斜面
１１ｒ２  ：傾斜面
１３      ：整流板
１３ｃ１  ：第１開口端
１３ｃ２  ：第２開口端
１７      ：送風機庫
１９      ：排気口
２０      ：制御部
２３      ：吸気口
２５      ：第１排水口
２７      ：第２排水口
３１      ：シャッタ
３３      ：回動軸
４０      ：フード洗浄部
４７      ：送風機洗浄部
６５      ：洗浄液供給部
７０      ：庫内洗浄部
Ｎ        ：洗浄液噴射部
Ｓ        ：内部空間
【図１】
2019100559.tif 000003
【図２】
2019100559.tif 000004
【図３】
2019100559.tif 000005
【図４】
2019100559.tif 000006
【図５】
2019100559.tif 000007
【図６】
2019100559.tif 000008
【図７】
2019100559.tif 000009